(57)【要約】【課題】  モータの回転が伝動される回転体を、回転していない時には重量バランスがとれているが、回転するに連れてアンバランスな状態になるように構成し、エネルギー効率の芳しいバイブレータを提供すること。【解決手段】  モータの回転に伴って振動を起こすバイブレータにおいて、モータの回転を伝動される回転伝動軸と、その回転伝動軸に装着されて回転する略円盤状の回転体と、その回転体の内部に配設され回転伝動軸に向かう方向に移動可能な加振用の錘体と、その錘体を回転伝動軸に向かって付勢する弾性体とを設け、回転体の回転に従って生じる遠心力によって、錘体を回転伝動軸から離隔させる。回転体の回転伝動軸近傍に、バランス用の錘体を固設してもよい。【選択図】  図１
2006050801.tif 000002
【特許請求の範囲】
【請求項１】
モータの回転に伴って振動を起こすバイブレータであって、
モータの回転を伝動される回転伝動軸と、
その回転伝動軸に装着されて回転する略円盤状の回転体と、
その回転体の内部に配設され回転伝動軸に向かう方向に移動可能な加振用の錘体と、
その錘体を回転伝動軸に向かって付勢する弾性体とを備え、
回転体の回転に従って生じる遠心力によって、錘体を回転伝動軸から離隔させる
ことを特徴とするバイブレータ。
【請求項２】
回転体の回転伝動軸近傍に固設されたバランス用の錘体を備える
請求項１に記載のバイブレータ。
【発明の詳細な説明】
【技術分野】
【０００１】
本発明は、携帯電話等に配設されるバイブレータの構成に関する。
【背景技術】
【０００２】
モータの回転に伴って振動を起こすバイブレータは公知である。
例えば、特許文献１の「着信バイブレータ機能付き通信機器」には、駆動用モータの軸に加振用の偏心錘を固設させ、駆動用モータによって偏心錘を回転させることで、その回転数に相当する周波数の振動を発生させるバイブレータが開示されている。
【特許文献１】特開平11-187087
【０００３】
また、携帯電話等に付設されるバイブレータに関しては、他に、特許文献２〜６などがあるが、振動のモードを電磁気的に制御する技術に関するものである。
【特許文献２】特開平11-191949
【特許文献３】特開平10-051839
【特許文献４】特開平10-051519
【特許文献５】特開平08-242273
【特許文献６】特表2002-538964
【０００４】
モータの回転によって、重量のアンバランスな状態にある加振用の錘体を回転させると、振動を起こすことができる。
その際、アンバランスな状態にある錘体を回転させるためには、バランスがとれているものを回転させるのに比べ、比較的大きな力が必要である。
従って、回転の当初は重量バランスがとれているが、回転するに連れてアンバランスな状態になるように構成すれば、エネルギー効率がよいが、それを実現する従来技術はなかった。
【発明の開示】
【発明が解決しようとする課題】
【０００５】
そこで、本発明は、モータの回転に伴って振動を起こすバイブレータにおいて、モータの回転を伝動される回転伝動軸に装着されて回転する略円盤状の回転体を、回転していない時には重量バランスがとれているが、回転するに連れてアンバランスな状態になるように構成して、エネルギー効率の芳しいバイブレータを提供することを課題とする。
【課題を解決するための手段】
【０００６】
上記課題を解決するために、本発明のバイブレータは次の構成を備える。
すなわち、モータの回転に伴って振動を起こすバイブレータにおいて、モータの回転を伝動される回転伝動軸と、その回転伝動軸に装着されて回転する略円盤状の回転体と、その回転体の内部に配設され回転伝動軸に向かう方向に移動可能な加振用の錘体と、その錘体を回転伝動軸に向かって付勢する弾性体とを設け、回転体の回転に従って生じる遠心力によって、錘体を回転伝動軸から離隔させることを特徴とする。
【０００７】
ここで、回転体の回転伝動軸近傍に、バランス用の錘体を固設してもよい。
【発明の効果】
【０００８】
本発明によると、回転伝動軸に装着されて回転する回転体の内部に、回転伝動軸に向かう方向に移動可能な加振用の錘体が備わり、その錘体が、弾性体によって回転伝動軸に向かって付勢される。そのため、回転体は、回転していない時には重量バランスがとれているので、回転の始動には小さな力で済み、回転に従って、遠心力で錘体が回転伝動軸から離隔するのでバイブレータとして作用する。
【発明を実施するための最良の形態】
【０００９】
以下に、図面を基に本発明の実施形態を説明する。
なお、ここでは、携帯電話等に設置される小型のバイブレータを例示して説明するが、本発明は、モータの回転に伴って振動を起こすバイブレータ一般に適用可能である。
【００１０】
図１は、停止時と回転時における錘体の動作を表す回転体の要部を示す説明図である。
回転体（１０）は、略円盤状であり、モータの回転を伝動される回転伝動軸（１１）に装着されている。回転伝動軸（１１）の近傍には、その軸（１１）を対称的に囲む形態で、複数種類の錘体、バランス用（１２）と、加振用（１３）とが配設される。回転伝動軸（１１）に関して重量分布を対称的にするのは、重量バランスをとって、回転の始動に小さな力で済むようにするためである。
【００１１】
バランス用錘体（１２）は、回転体（１０）に対して固定して設置される。このバランス用錘体（１２）は、必須の構成要素ではなく、加振用錘体（１３）のみを配設してもよい。
なお、図示の例では、バランス用錘体（１２）も加振用錘体（１３）も１体であるが、いずれも複数用いてよい。
【００１２】
加振用錘体（１３）は、溝や凸条などで構成されるガイド（１４）にに沿って、移動可能に配設される。そのガイド（１４）は、回転体（１０）の半径方向に成形されるので、加振用錘体（１３）は、回転伝動軸（１１）から離れる方向に移動可能である。
加振用錘体（１３）は、板バネ（１５）によって回転伝動軸（１１）に向かって付勢されている。
そのため、回転体（１０）は、回転していない時には重量バランスがとれているので、回転の始動には小さな力で済む。これに伴い、モータの小型化など部材の簡素化や、消費電力の省力化がもたらされる利点もある。
一方、回転に従って、遠心力で加振用錘体（１３）がガイド（１４）に沿って回転伝動軸（１１）から離隔するので、回転体（１０）は重量バランスが崩れ振動を生起する。
【００１３】
図２は、別実施例の回転体の要部を示す説明図である。
加振用錘体（１３）を回転伝動軸（１１）に向かって付勢する弾性体が、上記実施例とは異なる。
加振用錘体（１３）の移動方向を誘導するガイド（１４）は必須でないので、それを用いない代わりに、加振用錘体（１３）の移動方向を規制するためのバネ部材（１６）を、対称な配置で複数設置してある。なお、バネ部材（１６）は、支軸（１７）に巻回されたバネ（１８）によって、加振用錘体（１３）に付勢されている。
【００１４】
図３も、同様に、別実施例の回転体の要部を示す説明図である。
加振用錘体（１３）は、複数のゼンマイ状のバネ（１９）によって、回転伝動軸（１１）に向かって付勢されている。
【００１５】
図４も、同様に、別実施例の回転体の要部を示す説明図である。
加振用錘体（１３）は、ゼンマイ状のバネ（１９）によって引っぱらることで、回転伝動軸（１１）に向かって付勢されている。なお、バランス用錘体（１２）は、図示のように単体で分散させて配置してもよい。
【産業上の利用可能性】
【００１６】
本発明のバイブレータによると、回転伝動軸に装着されて回転する回転体の内部に、回転伝動軸に向かう方向に移動可能な加振用の錘体が備わり、その錘体が、弾性体によって回転伝動軸に向かって付勢されているので、停止時、回転体は重量バランスがとれている。これにより、回転の始動が小さな力で済み、モータの小型化など部材の簡素化や、消費電力の省力化が得られるので、産業上利用価値が高い。
【図面の簡単な説明】
【００１７】
【図１】停止時と回転時における錘体の動作を表す回転体の要部を示す説明図
【図２】別実施例の回転体の要部を示す説明図
【図３】同、別実施例説明図
【図４】同、別実施例説明図
【符号の説明】
【００１８】
１０  回転体
１１  回転伝動軸
１２  バランス用錘体
１３  加振用錘体
１４  ガイド
１５  板バネ
１６  バネ部材
１７  支軸
１８  ゼンマイ状バネ
１９  ゼンマイ状バネ
【図１】
2006050801.tif 000003
【図２】
2006050801.tif 000004
【図３】
2006050801.tif 000005
【図４】
2006050801.tif 000006